(57)【要約】      （修正有）【課題】ビル等の空調装置として用いられる室内機の熱交換機の下部に設けられるドレンパンで受けた結露水を、排水管に確実に流すようにするとともに、排水管にゴミや異物が入らないようにする排水用受け筒を提供する。【解決手段】ドレンパン２０の排水を導く排水用ホース２８の先端部に接続される受け筒３５を、大径部４１と小径部４２とから構成し、大径部４１に上下に突条を形成し、これらの突条によって上部開口を通して挿入された排水用ホース２８の先端側下端部との間に軽微な摩擦力を発生させ、しかも大径部４１と小径部４２との間に生ずる傾斜段部によって排水用ホース２８の挿入深さを規制し、小径部４２の下端側の外周面に形成された雄ねじによって排水管３６に接続する。【選択図】図３
0003161616.tif 000002
【実用新案登録請求の範囲】
【請求項１】
室内に設置される空調装置のドレンパンに接続される排水用ホースの先端側下端部を受ける受け筒において、
内周面に排水用ホースとの間に軽微な摩擦力によって抜け止めとなる突条が形成され、上部開口から前記排水用ホースが挿入される大径部と、
前記大径部の下端側に設けられ、下端側外周面に排水管と接続する雄ねじが形成された小径部と、
を具備し、前記大径部と前記小径部との間に内周面が傾斜する段部が形成され、該段部によって前記排水用ホースの挿入量が規制されることを特徴とする排水用受け筒。
【請求項２】
前記ドレンパンが、熱交換機の下側に配されるドレンパンであって、送風機によって前記熱交換機のフィンに室内空気を接触させると、冷房または暖房が行なわれるとともに、室内の空気が熱交換機のフィンに接触したときに該フィンに結露する露を前記ドレンパンが受けることを特徴とする請求項１に記載の排水用受け筒。
【請求項３】
前記大径部の内周面に複数の突条が軸線方向に所定の間隔を隔てて形成されることを特徴とする請求項１に記載の排水用受け筒。
【請求項４】
前記大径部の突条の内周面の直径が前記排水用ホースの最大の外径部分の９２〜９９％の範囲の寸法であることを特徴とする請求項３に記載の排水用受け筒。
【請求項５】
コイル状の芯線を合成樹脂またはゴムで被覆した排水用ホースが挿入されることを特徴する請求項１に記載の排水用受け筒。
【考案の詳細な説明】
【技術分野】
【０００１】
本考案は排水用受け筒に係り、とくに室内に設置される空調装置のドレンパンに接続される排水用ホースの先端側下端部を受ける排水用受け筒に関する。
【背景技術】
【０００２】
ビルの室内の冷暖房用の装置として、ファンコイルユニットが広く用いられている。ファンコイルユニットは、冷温水配管がなされた熱交換機を備え、この熱交換機のフィンに対して、モータによって駆動される送風機で室内空気を循環接触させることによって、室内空気を冷やしたり暖めたりすることが可能になる。なお熱交換機が冷温水のファンコイルから構成される場合には、冷房時には配管内に５〜１０℃の冷水を通過させる。これに対して暖房の場合には、３０〜３５℃の温水を循環させる。
【０００３】
このような室内用のファンコイルユニットにおいて、冷房のために熱交換機内を暖まった室内の空気を通過させて冷却すると、フィンの表面に結露を生ずる。そこで例えば特開２００３−１５６２２４５号公報、特開２００８−１２８５２０号公報、特開２００９−１９７９４号公報に記載されているようなドレンパンを熱交換機の下部に設置し、フィンで結露した水分を滴下させて捕集し、排水管によって排出するようにしている。ここで床の所定の位置には、排水管が設けられ、この排水管に対して排水用ホースによって、ドレンパンで受けた水を流すようにしている。
【０００４】
排水管に対する排水用ホースの接続構造は、排水管の上端側であって床面を貫通する部分にソケットをテーパねじによって螺着し、しかもこのソケットの上端の開口部にニップルをねじ込んで固定する。そしてニップルの上端であって床面から上方に突出した部分に、排水用ホースの先端側下端部を上方から嵌合させ、外周側からホースバンドによって排水用ホースの先端側下端部をニップルの外周面上に固定するようにしていた。
【０００５】
このような接続構造は、排水用ホースを接続する度にホースバンドによってこの排水用ホースの先端側下端部をニップルに固定しなければならず、ホースバンドによる固定の作業を要し、これによって組立の作業が面倒になる欠点がある。また排水用ホースがニップルの外周側に被さるように接続されるために、上方から流れる水が、排水用ホースとニップルとの間の隙間を通して排水管の外側に流出し、このような水がその下の階に漏水する問題があった。とくにドレンパンを含む排水部分の清掃やメインテナンスのときに、上記ホースバンドによる排水用ホースの固定が不十分な場合には、上述の水漏れの可能性がさらに高くなる問題がある。
【０００６】
また、洗濯機の排水用ホースの接続構造と類似の構造を利用し、上記床面に設置される排水管に対して排水用ホースの先端側下端部を挿入するための漏斗状の受け具を設けるとともに、この受け具内に排水用ホースの先端部を単に挿入することも考察される。
【０００７】
ところがこのような構成によると、排水用ホースの先端部と排水管との接続が確実でなく、このために排水用ホースの先端部が外れる可能性があった。また排水用ホースの先端部に対して受け具の寸法が十分に大きな値になっているために、周囲の隙間からゴミや異物が入り易く、これによって排水管を詰まらせる等の不具合を発生していた。
【０００８】
なお排水用ホースの先端側下端部と排水管とをねじ等の固定手段によって接続する構造も考えられるが、このような構造は、組立て工数を要する欠点がある。
【先行技術文献】
【特許文献】
【０００９】
【特許文献１】特開２００３−１５６２２４号公報
【特許文献２】特開２００８−１２８５２０号公報
【特許文献３】特開２００９−１９７９４号公報
【考案の概要】
【考案が解決しようとする課題】
【００１０】
本願考案の課題は、空調装置のドレンパンで受けた排水を、排水管に確実に流すようにした排水用受け筒を提供することである。
【００１１】
本願考案の別の課題は、ドレンパンで受けた水が配水管に正しく導入されず、これによって漏水事故が発生するのを確実に防止するようにした排水用受け筒を提供することである。
【００１２】
本願考案のさらに別の課題は、排水用ホースの先端側下端部と排水用受け筒との間に隙間を生ずることがなく、このためにゴミや異物が排水用受け筒を通して排水管内に侵入しないようにした排水用受け筒を提供することである。
【００１３】
本願考案のさらに別の課題は、排水用ホースとの接続が容易に行なわれ、作業性が改善されるようにした排水用受け筒を提供することである。
【００１４】
本願考案の上記の課題および別の課題は、以下に述べる本願考案の技術的思想、およびその実施の形態によって明らかにされる。
【課題を解決するための手段】
【００１５】
本願の主要な考案は、室内に設置される空調装置のドレンパンに接続される排水用ホースの先端側下端部を受ける受け筒において、
内周面に排水用ホースとの間に軽微な摩擦力によって抜け止めとなる突条が形成され、上部開口から前記排水用ホースが挿入される大径部と、
前記大径部の下端側に設けられ、下端側外周面に排水管と接続する雄ねじが形成された小径部と、
を具備し、前記大径部と前記小径部との間に内周面が傾斜する段部が形成され、該段部によって前記排水用ホースの挿入量が規制されることを特徴とする排水用受け筒に関するものである。
【００１６】
ここで、前記ドレンパンが、熱交換機の下側に配されるドレンパンであって、送風機によって前記熱交換機のフィンに室内空気を接触させると、冷房または暖房が行なわれるとともに、室内の空気が熱交換機のフィンに接触したときに該フィンに結露する露を前記ドレンパンが受けてよい。また前記大径部の内周面に複数の突条が軸線方向に所定の間隔を隔てて形成されてよい。また前記大径部の突条の内周面の直径が前記排水用ホースの最大の外径部分の９２〜９９％の範囲の寸法であってよい。またコイル状の芯線を合成樹脂またはゴムで被覆した排水用ホースが挿入されてよい。
【考案の効果】
【００１７】
本願の主要な考案は、室内に設置される空調装置のドレンパンに接続される排水用ホースの先端側下端部を受ける受け筒において、内周面に排水用ホースとの間に軽微な摩擦力によって抜け止めとなる突条が形成され、上部開口から前記排水用ホースが挿入される大径部と、前記大径部の下端側に設けられ、下端側外周面に排水管と接続する雄ねじが形成された小径部と、を具備し、前記大径部と前記小径部との間に内周面が傾斜する段部が形成され、該段部によって前記排水用ホースの挿入量が規制されるようにしたものである。
【００１８】
従ってこのような排水用受け筒によると、ドレンパンに接続される排水用ホースの先端側下端部を排水用受け筒内に挿入するだけで、この受け筒と排水用ホースとの間に軽微な摩擦力が発生し、これによって排水用ホースの脱落が防止される。しかも大径部と小径部との間の傾斜する段部によって排水用ホースの挿入量が規制されるために、排水用ホースの挿入量がばらつくことがなく、排水用ホースに対する接続量が確実に規制されることになる。また排水用ホースの先端部をねじによって螺着する必要がなく、この受け筒内に挿入するだけでよいために、組立ての作業性が改善されることになる。
【図面の簡単な説明】
【００１９】
【図１】ビルの空調装置に用いられる室内用のファンコイルユニットの要部斜視図である。
【図２】同内部構造を示す要部側断面図である。
【図３】ドレンパンに接続された排水用ホースと排水管との接続を示す床面の縦断面図である。
【図４】排水用受け筒の外観斜視図である。
【図５】同排水用受け筒の平面図である。
【図６】同排水用受け筒の正面図および縦断面図である。
【図７】排水用受け筒に対する排水用ホースの接続を示す要部断面図である。
【考案を実施するための形態】
【００２０】
以下本願考案を一実施の形態によって説明する。図１は本実施の形態の排水用受け筒が用いられるビルの空調装置の室内設置型のファンコイルユニットを示しており、このファンコイルユニットは、扁平な直方体状をなす外筐１０を備え、この外筐１０内に、熱交換機を構成する冷温水コイル１１が配される。冷温水コイル１１は外部からの冷水または温水を循環させる熱交換機であって、この冷水または温水の排水の配管に多数のフィンが互いに極めて近接した状態で取付けられており、冷温水管１２によって冷水または温水を循環させるようにしている。また外筐１０の上面であってその左右の部位にはそれぞれ点検用開口１３が設けられるとともに、点検ふた１４によって開閉自在になっている。また左右両側の点検用開口の間の部分であって上面に吹出口１５が設けられており、この吹出口１５を通して冷却され、あるいは暖められた空気が吹出すようになっている。また左側の前面にはスイッチ１６等の操作部が設けられている。
【００２１】
次に上記熱交換機を構成する冷温水コイル１１の下部には横方向に延びる細長いドレンパン２０が取付けられている。そしてこのドレンパン２０の下側には左右一対の送風機２１が配され、両者の中間に位置するモータ２２によって両側の送風機２１が同時に駆動されるようになっている。そして外筐１０の下部であってその前面側に空気取込口２３が設けられるとともに、空気取込口２３の直ぐ上側にエアフィルタ２４が配されている。
【００２２】
以上のような室内設置型のファンコイルユニットにおいて、冷房の際には冷温水管１２によって外部からこの冷温水コイル１１に５〜１０℃の冷水を流す。するとこの冷温水コイル１１のフィンの部分が冷却されることになる。そしてモータ２２によって空気取込口２３から取込まれかつエアフィルタ２４によって濾過された室内空気を熱交換機を構成する冷温水コイル１１のフィンに接触させる。すると室内空気はこの冷温水コイル１１のフィンと接触して冷却され、この後に吹出口１５から上方に排出され、室内の冷房が行なわれる。なお空気取込口２３を介して取込まれた空気中の水分が多い場合は、この空気が冷温水コイル１１のフィンに接触すると水分が結露し、結露した水分がドレンパン２０に落下するようになっている。このようなドレンパン２０に落下した結露水は、後述する排水用ホース２８によって排出されるようになっている。
【００２３】
次に暖房の場合には、冷温水管１２を通して冷温水コイル１１に３０〜３５℃の温水を循環させる。そして空気取込口２３で取入れられかつエアフィルタ２４を通過した空気を、モータ２２によって駆動される一対の送風機２１によって冷温水コイル１１のフィンに接触させることにより、そのフィンの部分と接触する室内空気が温められて暖房が行なわれる。なお暖房の際には、この冷温水コイル１１のフィンの部分に結露を生ずることはない。
【００２４】
次に上記ドレンパン２０に接続される排水用ホース２８による排水のための構造について説明する。排水用ホース２８はドレンパン２０の端部に設けられている排水筒２９に図３に示すように、フレキバンド３０等の固定手段を用いて接続固定される。このファンコイルユニットが設置されるビルの床面のスラブ３１には貫通孔３２が形成されるとともに、この貫通孔３２内には断熱材３３が充填される。そして断熱材３３の中心部に挿通孔３４が形成され、この挿通孔３４に受け筒３５が挿入される。この受け筒３５はその下端側の排水管３６にねじで螺着される。
【００２５】
次に上記受け筒３５の構造について図４〜図６によって説明する。受け筒３５は、上側の大径部４１と、下側の小径部４２とを備え、大径部４１の上端側が上部開口４３になっている。そして大径部４１の内周側には、中心側に向って突出するようにリング状の突条４５、４６が上下２段に形成されている。そして大径部４１の下端側が傾斜段部４７になっており、この傾斜段部４７の下端側が小径部４２に連通している。小径部４２の下端側の外周面には雄ねじ４８が形成されている。雄ねじ４８が上記排水管３６に接続するためのねじになっている。
【００２６】
このような受け筒３５の大径部４１は、その外径が例えば３４ｍｍに構成され、内径が３２ｍｍの、例えば肉厚が１ｍｍのステンレスパイプが用いられる。そしてこのようなステンレスパイプの外周面を絞り加工し、これによって一対の突条４５、４６と下端側の傾斜段部４７とを形成する。このときの突条４５、４６の中心側への突出量を、１〜１．５ｍｍの範囲内とする。従って、突条４５、４６の内径は、２９〜３０ｍｍの間に設定される。
【００２７】
そしてこのような突条４５、４６を有する大径部４１を備える受け筒３５に挿入される排水用ホースとしては、例えばその外径が３０．８ｍｍのものが用いられる。３０．８ｍｍの外径のホースは、例えば図７に示すように、芯線入りの蛇腹ホース２８であってよく、とくにその芯線の部分における外径が３０．８ｍｍの値に設定される。従って、突条４５、４６の内径に対して、少なくとも８ｍｍの締まり嵌めになり、これによって、この排水用ホース２８と受け筒３５の大径部４１の突条４５、４６との間に軽微な摩擦力が発生する。すなわち突条４５、４６の内周面の摩擦力によって、排水用ホース２８は受け筒３５内に挿入された状態になる。
【００２８】
なお排水用ホース２８と受け筒３５の大径部４１に形成される突条４５、４６の内周面との間の寸法比は、大径部４１の突条４５、４６の内周面の直径が、排水用ホース２８の最大の外径部分の９２〜９９％の範囲内であることが好ましい。この値が９９％を超えると、受け筒３５と排水用ホース２８との間の摩擦力が不足し、これによって排水用ホース２８が脱落し易くなる。一方この値が９２％よりも小さい場合には、排水用ホース２８の先端部を受け筒３５に挿入するのに大きな力を要し、このために作業性が悪化する。また場合によっては、排水用ホース２８あるいは受け筒３５が変形する可能性がある。従って、上記９２〜９９％の範囲内であることが好ましい。
【００２９】
なお受け筒３５の下端側は、図に示すように、床面３１の貫通孔３２に充填された断熱材３３の挿通孔３４内において、排水管３６に雄ねじ４８で接続されることになる。
【００３０】
このようなドレンパン２０の排水構造によると、とくに接続用ホース２８を受け筒３５の大径部４１の突条４５、４６の部分に軽微な摩擦力によって係止し、受け筒３５内に確実に固定することができる。また排水用ホース２８の先端側の挿入深さは、受け筒３５の大径部４１と小径部４２との間の傾斜段部４７によって規制され、これによって排水用ホース２８の受け筒３５に対する挿入深さがほぼ一定の値になる。この値は、排水用ホース２８が受け筒３５から脱落するのを確実に防止するのに十分な長さである。また接続用ホース２８の受け筒３５に対する接続動作は、上記排水用ホース２８を受け筒３５に単に挿入するだけでよく、ねじ締め等の作業を必要としない。従って接続作業が極めて簡便になる。そして接続用ホース２８の先端側下端部と受け筒３５の大径部４１との間にはほとんど隙間を生ずることがなく、このために受け筒３５を通して排水管３６内にゴミや異物が侵入することがなく、排水管３６が詰まる事故が未然に防止される。
【００３１】
以上本願考案を図示の一実施の形態によって説明したが、本願考案は上記実施の形態によって限定されることなく、本願考案の技術的思想の範囲内において各種の変更が可能である。例えば上記実施の形態は、冷温水コイルから成る熱交換機を用いた室内ファンコイルユニットにおけるドレンパンからの排水のための構造に関するものであるが、本願考案は、冷媒を循環させるいわゆるヒートポンプ式の空調装置の室内機のドレンパンからの排水に用いることも可能である。また排水用ホース２８として、必ずしも芯線が入った蛇腹ホースを用いることなく、金網が入ったホース、あるいは単純な合成樹脂製のホースを用いることも可能である。
【産業上の利用可能性】
【００３２】
本願考案は、ビル等における空調用室内機のオイルパンで発生する結露水を排水するのに利用することが可能である。
【符号の説明】
【００３３】
１０  外筐
１１  冷温水コイル（熱交換機）
１２  冷温水管
１３  点検用開口
１４  点検ふた
１５  吹出口
１６  スイッチ
２０  ドレンパン
２１  送風機
２２  モータ
２３  空気取込口
２４  エアフィルタ
２８  排水用ホース
２９  排水筒
３０  フレキバンド
３１  スラブ（床面）
３２  貫通孔
３３  断熱材
３４  挿通孔
３５  受け筒
３６  排水管
４１  大径部
４２  小径部
４３  上部開口
４５、４６  突条
４７  傾斜段部
４８  雄ねじ
【図１】
0003161616.tif 000003
【図２】
0003161616.tif 000004
【図３】
0003161616.tif 000005
【図４】
0003161616.tif 000006
【図５】
0003161616.tif 000007
【図６】
0003161616.tif 000008
【図７】
0003161616.tif 000009